(57)【要約】【課題】  セルの構成態様によらずに適切なハンドオーバ処理を実行可能とすること。【解決手段】  移動体端末との間でリンクを確立して通信を行う無線通信装置は、移動体端末の位置情報と、無線通信装置から送信された信号の移動体端末における受信品質の情報とを取得すると共に、位置情報と受信品質の情報とに基づいて、移動体端末がハンドオーバする対象となる他の無線通信装置に関する情報を取得し、他の無線通信装置に関する情報に基づいて、移動体端末に、他の無線通信装置へハンドオーバさせる指示を当該移動体端末へ送信する。【選択図】  図７
2014192738.tif 000002
【特許請求の範囲】
【請求項１】
移動体端末との間でリンクを確立して通信を行う無線通信装置であって、
前記移動体端末の位置情報と、前記無線通信装置から送信された信号の当該移動体端末における受信品質の情報とを取得すると共に、前記位置情報と前記受信品質の情報とに基づいて、前記移動体端末がハンドオーバする対象となる他の無線通信装置に関する情報を取得する取得手段と、
前記他の無線通信装置に関する情報に基づいて、前記移動体端末に、当該他の無線通信装置へハンドオーバさせる指示を当該移動体端末へ送信する送信手段と、
を有することを特徴とする無線通信装置。
【請求項２】
移動体端末の位置と、当該位置に存在する移動体端末に対してサービスを提供できる無線通信装置を含む複数の無線通信装置における通信を制御する制御装置とを対応させて記憶する記憶手段をさらに有し、
前記取得手段は、前記移動体端末から取得した前記位置情報に対応する前記制御装置に問い合わせることにより、当該移動体端末に対してサービスを提供できる他の無線通信装置に関する情報を取得する、
ことを特徴とする請求項１に記載の無線通信装置。
【請求項３】
前記取得手段は、前記受信品質を示す値が所定値以下である場合に、前記他の無線通信装置に関する情報を取得する、
ことを特徴とする請求項１又は２に記載の無線通信装置。
【請求項４】
前記他の無線通信装置に関する情報は、当該他の無線通信装置から送信された信号の受信品質を前記移動体端末に測定させるための、無線通信に関するパラメータを含み、
前記送信手段は、前記パラメータを前記移動体端末へ送信し、当該パラメータを用いて当該移動体端末において測定された、前記他の無線通信装置から送信された信号の受信品質の測定結果に基づいて、前記指示を前記移動体端末へ送信する、
ことを特徴とする請求項１から３のいずれか１項に記載の無線通信装置。
【請求項５】
前記パラメータは、前記他の無線通信装置から送信された信号の受信品質を測定すべき周波数と、当該他の無線通信装置の識別情報との少なくともいずれかを含む、
ことを特徴とする請求項４に記載の無線通信装置。
【請求項６】
移動体端末との間でリンクを確立して通信を行う無線通信装置を含む複数の無線通信装置の通信を制御する制御装置であって、
前記移動体端末の位置情報と、前記無線通信装置から送信された信号の当該移動体端末における受信品質の情報とを取得すると共に、前記位置情報と前記受信品質の情報とに基づいて、前記移動体端末がハンドオーバする対象となる、前記複数の無線通信装置とは異なる他の無線通信装置に関する情報を取得する取得手段と、
前記他の無線通信装置に関する情報に基づいて、前記移動体端末との間で前記リンクを確立している前記無線通信装置を通じて、当該他の無線通信装置へハンドオーバさせる指示を当該移動体端末へ送信する送信手段と、
を有することを特徴とする制御装置。
【請求項７】
複数の無線通信装置の通信を制御する制御装置であって、
前記複数の無線通信装置とは異なると共に移動体端末との間でリンクを確立して通信を行っている他の無線通信装置または当該他の無線通信装置の通信を制御する他の制御装置から、前記移動体端末の位置情報を取得する取得手段と、
前記他の無線通信装置または前記他の制御装置に対して、前記複数の無線通信装置のうち、前記位置情報に対応する無線通信装置に関する情報を通知する通知手段と、
前記位置情報に対応する無線通信装置が、前記他の無線通信装置からハンドオーバする前記移動体端末と接続するように制御する制御手段と、
を有することを特徴とする制御装置。
【請求項８】
移動体端末との間でリンクを確立して通信を行う無線通信装置の制御方法であって、
取得手段が、前記移動体端末の位置情報と、前記無線通信装置から送信された信号の当該移動体端末における受信品質の情報とを取得すると共に、前記位置情報と前記受信品質の情報とに基づいて、前記移動体端末がハンドオーバする対象となる他の無線通信装置に関する情報を取得する取得工程と、
送信手段が、前記他の無線通信装置に関する情報に基づいて、前記移動体端末に、当該他の無線通信装置へハンドオーバさせる指示を当該移動体端末へ送信する送信工程と、
を有することを特徴とする制御方法。
【請求項９】
移動体端末との間でリンクを確立して通信を行う無線通信装置を含む複数の無線通信装置の通信を制御する制御装置の制御方法であって、
取得手段が、前記移動体端末の位置情報と、前記無線通信装置から送信された信号の当該移動体端末における受信品質の情報とを取得すると共に、前記位置情報と前記受信品質の情報とに基づいて、前記移動体端末がハンドオーバする対象となる、前記複数の無線通信装置とは異なる他の無線通信装置に関する情報を取得する取得工程と、
送信手段が、前記他の無線通信装置に関する情報に基づいて、前記移動体端末との間で前記リンクを確立している前記無線通信装置を通じて、当該他の無線通信装置へハンドオーバさせる指示を当該移動体端末へ送信する送信工程と、
を有することを特徴とする制御方法。
【請求項１０】
複数の無線通信装置の通信を制御する制御装置の制御方法であって、
取得手段が、前記複数の無線通信装置とは異なると共に移動体端末との間でリンクを確立して通信を行っている他の無線通信装置または当該他の無線通信装置の通信を制御する他の制御装置から、前記移動体端末の位置情報を取得する取得工程と、
通知手段が、前記他の無線通信装置または前記他の制御装置に対して、前記複数の無線通信装置のうち、前記位置情報に対応する無線通信装置に関する情報を通知する通知工程と、
制御手段が、前記位置情報に対応する無線通信装置が、前記他の無線通信装置からハンドオーバする前記移動体端末と接続するように制御する制御工程と、
を有することを特徴とする制御方法。
【発明の詳細な説明】
【技術分野】
【０００１】
本発明は移動体端末のハンドオーバを行うための技術に関する。
【背景技術】
【０００２】
携帯電話に代表される移動体無線通信システムでは、基地局のような無線通信装置が、それぞれセルと呼ばれる無線通信サービスを提供できる領域を展開し、そのセル内に存在する移動体端末（ＵＥ）との間でリンクを確立して無線通信を行う。このとき、ＵＥは、それまでリンクを確立して無線通信を行っていた基地局との通信ができなくなる領域まで移動する場合がある。このため、このような場合に、ＵＥの接続先の基地局を、それまで接続していた基地局から、移動先の隣接基地局へと変更するハンドオーバが行われる。
【０００３】
ところで、次世代の世界標準の無線通信方式として、ＬＴＥ（Ｌｏｎｇ  Ｔｅｒｍ  Ｅｖｏｌｕｔｉｏｎ）システムが３ＧＰＰ（３ｒｄ  Ｇｅｎｅｒａｔｉｏｎ  Ｐａｒｔｎｅｒｓｈｉｐ  Ｐｒｏｊｅｃｔ）で標準化され、現在急速にエリア展開が進んでいる。ＬＴＥシステムにおいては、他の移動体無線通信システムと同様に、ハンドオーバの仕様が規定されている（非特許文献１参照）。ここで、ＵＥがＲＲＣ接続状態（ＲＲＣ  Ｃｏｎｎｅｃｔｅｄ）であるとき、すなわち、ＵＥと基地局との間に個別のデータチャネルが確立された状態におけるハンドオーバについて説明する。
【０００４】
まず、ＵＥが、在圏しているセル（サービングセル）を展開する基地局（サービング基地局）と、そのセルに隣接しているセル（ネイバーセル）を展開する基地局（隣接基地局）とからの信号（電波）を受信し、通信品質（例えば、信号の受信電力）を測定する。そして、ＵＥは、測定結果をメジャメントレポートメッセージ（Ｍｅａｓｕｒｅｍｅｎｔ  Ｒｅｐｏｒｔ  Ｍｅｓｓａｇｅ）により通信先であるサービング基地局に送信する。そして、サービング基地局は、メッセージ内のサービングセル及びネイバーセルにおける品質情報に基づいて、適切な隣接基地局へハンドオーバリクエストを送信し、ハンドオーバシーケンス（Ｈａｎｄ  ｏｖｅｒ  ｐｒｏｃｅｄｕｒｅ）を開始する。
【０００５】
ここで、正確なハンド―オーバのためには、メジャメントレポートメッセージ内のネイバーセル（又は隣接基地局）が、サービング基地局で保持されているＮｅｉｇｈｂｏｒ  Ｒｏｕｔｉｎｇ  Ｔａｂｌｅ（ＮＲＴ）に登録されている必要がある。つまり、ＮＲＴの管理が、ハンドオーバの性能に大きな影響を与える。
【０００６】
ＵＥがメジャメントレポートを送信するタイミングは、ＵＥに設定される送信トリガに基づいて決まる。メジャメントレポートメッセージの送信タイミングを定める送信トリガは、ＵＥが一定の間隔で送信する「周期型トリガ」と、特定の電波条件が満たされた場合にのみ送信する「イベント型トリガ」との２種類が存在する。メジャメントレポートメッセージの送信トリガに周期型トリガが設定されると、ＵＥは、指定された周期で、サービング基地局へメジャメントレポートメッセージを送信する。この周期は、基地局がＵＥに対して指示することにより、設定されることができる。一方、メジャメントレポートメッセージのトリガにイベント型トリガが設定されると、ＵＥは、レポートの送信条件（例えば、受信電力が一定の値以下であるという条件）が満たされた場合にのみメジャメントレポートメッセージをサービング基地局へ送信する。レポートの送信条件は、例えば、「サービング基地局からの電波の受信強度が閾値ａ未満になる」や「サービング基地局からの電波の受信強度が閾値ｂ未満かつ隣接基地局からの電波の受信強度がｃ以上になる」など、複数の種類が存在する（図１参照）。これらのＵＥに設定すべきパラメータは、ＵＥが基地局に初期接続する際、ハンドオーバにより隣接基地局に接続した際などに、サービング基地局からＲＲＣ  Ｃｏｎｎｅｃｔｉｏｎ  Ｒｅｃｏｎｆｉｇｕｒａｔｉｏｎ  Ｍｅｓｓａｇｅで送信される。なお、ここでのパラメータとは、例えば、周期型トリガの周期、イベント型トリガの閾値又はメジャメントレポートメッセージの送信条件などの情報である。
【０００７】
上述の従来の移動体無線通信システムにおけるハンドオーバにおける信号の流れを図２に示す。図２には、サービングセルとネイバーセルが異なる周波数を使用するＩｎｔｅｒ  ｆｒｅｑｕｅｎｃｙ  ＨＯ（Ｉｎｔｅｒ  ＨＯ）の信号の流れを示している。以下では、このＩｎｔｅｒ  ＨＯの処理の流れについて説明する。以下の説明において、括弧つきの数字は処理の順序を示し、それぞれが図２の同番号の信号の流れを示す矢印に対応する。また、図２において、「ＰＣＩ」は物理セル識別子（Ｐｈｙｓｉｃａｌ  Ｃｅｌｌ  ＩＤ）である。なお、サービングセルとネイバーセルとで同一の周波数を使用するＩｎｔｒａ  ｆｒｅｑｕｅｎｃｙ  ＨＯ（Ｉｎｔｒａ  ＨＯ）の場合は、以下の手順（３）、（４）の処理が省略されるのみであり、他の処理はＩｎｔｅｒ  ＨＯと同様であるため説明を省略する。
【０００８】
（Ｉｎｔｅｒ  ｆｒｅｑｕｅｎｃｙハンドオーバの処理の流れ）
（１）  サービング基地局は、ＲＲＣ  Ｃｏｎｎｅｃｔｉｏｎ  Ｒｅｃｏｎｆｉｇｕｒａｔｉｏｎ  Ｍｅｓｓａｇｅによりトリガの種類をＵＥへ通知する。
（２）  ＵＥは、設定されたトリガに従って、現在在圏しているサービングセルで使用されている周波数における信号の測定を行い、メジャメントレポートメッセージをサービング基地局へ送信する。
（３）  サービング基地局は、Ｉｎｔｅｒ  ＨＯの条件を満たすメジャメントレポートメッセージを受信すると、異なる周波数の信号測定を開始させるためのＲＲＣ  Ｃｏｎｎｅｃｔｉｏｎ  Ｒｅｃｏｎｆｉｇｕｒａｔｉｏｎ  ＭｅｓｓａｇｅをＵＥへ送信する。
（４）  ＵＥは、現在在圏するサービングセルで使用される周波数とは異なる周波数について信号の測定を行い、サービング基地局にメジャメントレポートメッセージを送信する。
（５）  サービング基地局は、メジャメントレポートメッセージの結果からＨＯ条件を満たすか判断し、条件を満たす場合にＮＲＴを参照し、ハンドオーバの対象となる隣接セルの基地局へ、ＨＯリクエストを送信する。
（６）  ＨＯリクエストを受信した隣接基地局は、割り当て可能なリソース等を判断し、ＨＯリクエストに対する応答をサービング基地局に送信する。
（７）  サービング基地局は、ＵＥに対して、ＨＯ先のネイバーセルのシステム情報を送信し、ＵＥはＨＯを実行する。
【先行技術文献】
【非特許文献】
【０００９】
【非特許文献１】３ＧＰＰ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；  Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）  Ｒａｄｉｏ  Ｒｅｓｏｕｒｃｅ  Ｃｏｎｔｒｏｌ  （ＲＲＣ）；  Ｐｒｏｔｏｃｏｌ  ｓｐｅｃｉｆｉｃａｔｉｏｎ
【発明の概要】
【発明が解決しようとする課題】
【００１０】
従来の移動通信システムでは、隣接する２つのセルの大きさが極端に異なることは少ないため、１つのセルに隣接するセルの数はそれほど多くない。このため、１つのセルに隣接するセルの数はそれほど多くないため、ＰＣＩを繰り返し使用しても、１つのセルにおいて、隣接するセルのうち、いずれをハンドオーバ先のセルとするかを一意に特定することができる。例えば、図３に示すように物理セル識別子を割り当てることで、ある１つのセルについての複数の隣接セルが同一の物理セル識別子を使用することがなくなる。このため、サービング基地局は、ＵＥから受信品質と共に対応するＰＣＩを受信することで、ＵＥにおいてどのセルからの信号の受信品質が良好であったかを容易に判断できる。したがって、ハンドオーバ先のセルを一意に特定することができる。また、１つのセルに隣接するセルが多くないため、ＮＲＴの管理も容易である。
【００１１】
しかしながら、例えば、都市部においては多数の小セルでエリアを構成し、それ以外のエリアを大セルで覆うことを想定すると、大セルに隣接するまたは大セルのエリアに包含される多数の小セルへのハンドオーバ時に、そのハンドオーバ先の特定は容易でない。すなわち、大セルによって複数の都市が包含される場合、その大セルには、多数の小セルで構成される中規模のエリアが複数包含されることが考えられる。その場合、図４に示すように、ＰＣＩを繰り返して使用すると、ＵＥからＰＣＩと受信品質の情報を受け取った場合に、そのＰＣＩを有するセルが、大セルに包含される小セルのうちいずれであるかを判断できない。すなわち、図４の例では、ＰＣＩが０〜６のセルがそれぞれ大セルに４つ包含されており、例えばＰＣＩが１のセルについての受信品質をＵＥから報告されたとしても、その受信品質がどのセルに対応するかが分からない。その結果、大セルの基地局は、ＨＯリクエストを送信する先の小セル基地局を特定できないという課題があった。なお、ＰＣＩの種類には上限があり、これを増やすことは非常に困難である。また、１つのセルにおいてＮＲＴで管理できるセルの数には上限があり、大セルは、隣接又は包含する小セルの数が多いため、大セルの基地局において、これらの小セルを全て管理できないという課題があった。また、仮に管理できるとしても、大セルの基地局において、管理すべきセルの数が膨大になり、管理コストが発生するという課題があった。そして、これらの課題の結果として、ハンドオーバが失敗し、ＵＥとネットワークとの間で確立されていたリンクが切断されてしまうという課題があった。
【００１２】
本発明は上記課題の少なくとも１つを解決するものであり、セルの構成態様によらずに適切なハンドオーバ処理を実行可能とする技術を提供することを目的とする。
【課題を解決するための手段】
【００１３】
上記目的を達成するため、本発明による無線通信装置は、移動体端末との間でリンクを確立して通信を行う無線通信装置であって、前記移動体端末の位置情報と、前記無線通信装置から送信された信号の当該移動体端末における受信品質の情報とを取得すると共に、前記位置情報と前記受信品質の情報とに基づいて、前記移動体端末がハンドオーバする対象となる他の無線通信装置に関する情報を取得する取得手段と、前記他の無線通信装置に関する情報に基づいて、前記移動体端末に、当該他の無線通信装置へハンドオーバさせる指示を当該移動体端末へ送信する送信手段と、を有する。
【００１４】
また、上記目的を達成するため、本発明による制御装置は、移動体端末との間でリンクを確立して通信を行う無線通信装置を含む複数の無線通信装置の通信を制御する制御装置であって、前記移動体端末の位置情報と、前記無線通信装置から送信された信号の当該移動体端末における受信品質の情報とを取得すると共に、前記位置情報と前記受信品質の情報とに基づいて、前記移動体端末がハンドオーバする対象となる、前記複数の無線通信装置とは異なる他の無線通信装置に関する情報を取得する取得手段と、前記他の無線通信装置に関する情報に基づいて、前記移動体端末との間で前記リンクを確立している前記無線通信装置を通じて、当該他の無線通信装置へハンドオーバさせる指示を当該移動体端末へ送信する送信手段と、を有する。
【００１５】
また、上記目的を達成するため、本発明による別の制御装置は、複数の無線通信装置の通信を制御する制御装置であって、前記複数の無線通信装置とは異なると共に移動体端末との間でリンクを確立して通信を行っている他の無線通信装置または当該他の無線通信装置の通信を制御する他の制御装置から、前記移動体端末の位置情報を取得する取得手段と、前記他の無線通信装置または前記他の制御装置に対して、前記複数の無線通信装置のうち、前記位置情報に対応する無線通信装置に関する情報を通知する通知手段と、前記位置情報に対応する無線通信装置が、前記他の無線通信装置からハンドオーバする前記移動体端末と接続するように制御する制御手段と、を有する。
【発明の効果】
【００１６】
本発明によれば、セルの構成態様によらずに適切なハンドオーバ処理を実行可能とすることができる。
【図面の簡単な説明】
【００１７】
【図１】ＵＥに設定されるイベント型トリガにおける、メジャメントレポートの複数の送信条件の例を示す図。
【図２】従来のハンドオーバ処理における信号の流れを示す図。
【図３】従来のエリア構成とそれぞれのセルに割り当てられたＰＣＩとの関係を示す図。
【図４】想定されるエリア構成とそれぞれのセルに割り当てられたＰＣＩとの関係を示す図。
【図５】移動体無線通信システムの構成例を示す図。
【図６】実施形態に係るハンドオーバ処理における信号の流れを示す図。
【図７】実施形態に係るハンドオーバ処理のシーケンス図。
【発明を実施するための形態】
【００１８】
以下、添付図面を参照して本発明の実施の形態を詳細に説明する。
【００１９】
（無線通信システム）
本実施形態に係る移動体無線通信システムの構成例を、図５に示す。本実施形態では、図４と同様に、小セルが大セルに包含される又は隣接する構成をとるものとし、かつ、複数の小セルの基地局の通信を１つの制御装置が制御する構成をとる。移動体端末（ＵＥ）は、これらの基地局のうち少なくとも１つとの間で通信用のリンクを確立し、無線通信を行う。
【００２０】
複数の小セルの基地局を１つの制御装置が制御する構成は、例えば、Ｃ−ＲＡＮ（Ｃｅｎｔｒａｌｉｚｅｄ−ＲＡＮ）アーキテクチャにより実現される。Ｃ−ＲＡＮにおいては、送受信する信号のベースバンド処理を司る制御装置の機能を有するＢＢＵＰ（ベースバンドユニットプール）と、無線信号の送受信を担当するＲＲＨ（リモートラジオヘッド）とから構成される。なお、ＢＢＵＰに複数の小セルで取り扱う信号が集約されるため、ＢＢＵＰはコアネットワーク側に配置される。このような構成により、基地局が配置される位置における機器やスペースを省略することができ、設置コストや空調等に係る管理コストを削減することができる。また、従来では、各基地局において、ベースバンド処理を行うＢＢＵ（ベースバンドユニット）が存在していたが、複数の基地局のＢＢＵをＢＢＵＰに集約することにより、ＢＢＵの削減が可能となる。また、このような構成により、トラッフィクに応じて各小セルのセルサイズや周波数を選択することで、干渉量や収容量を動的に調整することが可能となる。
【００２１】
なお、以下では、小セルの基地局としてＲＲＨ、複数の小セルの通信を制御する制御装置としてＢＢＵＰを用いて説明するが、他の無線通信装置が基地局として動作してもよい。ただし、この場合であっても、複数の小セルの通信（例えばリソース割り当て）は、ネットワーク側の制御装置が管理するものとする。すなわち、ネットワーク側の制御装置は、基地局として動作する複数の無線通信装置がそれぞれ使用する、周波数及び通信方式等の情報を管理しているものとする。
【００２２】
図６に、本実施形態に係るハンドオーバ処理に係る信号の流れを概略的に示す。また、図７に、本実施形態に係るハンドオーバ処理のシーケンス図を示す。なお、図６においては、簡単のため、大セルの内部に含まれる複数のＢＢＵＰによって制御される複数の小セル群のうち、１つのＢＢＵＰによって制御される小セル群に着目して処理の流れを説明する。なお、以下の説明において、括弧つきの数字は処理の順序を示し、それぞれが図６の同番号の信号の流れを示す矢印、及び図７の処理に対応する。
【００２３】
（本実施形態に係るハンドオーバの処理の流れ）
（１）  大セル（サービングセル）の基地局（サービング基地局）が、Ｃｏｎｆｉｇｕｒａｔｉｏｎ  Ｍｅｓｓａｇｅにより、トリガをＵＥに通知する。
（２）  ＵＥは、設定したトリガに従って、サービング基地局との間での通信に用いたのと同じ周波数で信号の受信品質を測定し、受信品質の情報を含むメジャメントレポートをサービング基地局に送信する。このとき、ＵＥ自身の位置情報も併せてサービング基地局に通知する。なお、受信品質の情報とは、例えば、ＳＩＮＲ、ＣＩＮＲ、ＳＩＲ、ＣＩＲ、ＳＮＲ、ＣＮＲ、信号の受信強度である。また、位置情報は、定期的に測定されたもののうち、最も現在時刻に近い時刻で測定された結果であってもよいし、受信品質の測定と同時に測定された結果であってもよい。
（３）  サービング基地局は、ＵＥから送信された位置情報に基づいて、ＵＥの位置においてサービスを提供できる小セルの通信を制御するＢＢＵＰに対して、当該ＢＢＵＰが管理している小セルで使用している無線通信のパラメータを問い合わせる。すなわち、サービング基地局は、ＵＥにおいて受信品質の測定を行わせる対象をＢＢＵＰに問い合わせる。なお、サービング基地局は、ＵＥの位置と、その位置においてサービスを提供できる小セルを含む複数の小セルの通信を制御するＢＢＵＰとを対応付けて記憶しておく。すなわち、従来は、基地局は、各セルの識別情報（ＰＣＩ）を記憶し、ＵＥから受信品質と併せて受信したＰＣＩによって、ハンドオーバ先の基地局（セル）を特定したが、本実施形態では、このような動作を行わない。代わりに、基地局は、ＵＥの位置情報を受信し、その位置にいてサービスを提供できる小セルを含む複数の小セルの通信を制御するＢＢＵＰを特定する。すなわち、基地局は、個々のセルに対して付された識別情報を記憶するのではなく、複数のセルをまとめて管理するＢＢＵＰとＵＥの位置情報との対応関係を記憶する。そして、サービング基地局は、ＵＥから受信した受信品質を示す値が所定値以下である場合に、併せて受信した位置情報に対応するＢＢＵＰに、その位置情報に応じた小セルの基地局に関する情報（使用パラメータなど）を問い合わせて、当該情報を取得する。なお、パラメータは、例えば、その小セルの基地局が使用している、ＬＴＥシステムに関する周波数、及びＣＤＭＡ（３Ｇ）システムに関する基地局の識別情報（セルＩＤ）である。
（４）  続いて、ＢＢＵＰは、サービング基地局からの問い合わせに応じて、ＢＢＵＰで管理している小セルの基地局が使用している周波数やセルＩＤの情報を、ＵＥが信号の受信品質の測定を実行すべき対象として、サービング基地局に送信する。ここで、ＢＢＵＰは、自らが通信を制御する複数の小セルのうち、ＵＥの位置においてサービスを提供できる小セルを特定し、その小セルで使用している周波数やセルＩＤの情報を、測定を実行すべき対象としてサービング基地局に送信するようにしてもよい。ここで、ＬＴＥシステムに対しては周波数、ＣＤＭＡシステムに対してはセルＩＤを通知することにより、ＵＥは、小セルで使用されている無線アクセス技術（ＲＡＴ）に応じて信号の受信品質の測定を実行できるため、ＲＡＴ間ハンドオーバも可能となる。なお、ＢＢＵＰは、ＵＥの位置においてサービスを提供できる小セルのみならず、その小セルの周囲の小セルの情報（例えば、当該小セルで使用されている無線通信のパラメータ）をサービング基地局に通知してもよい。また、ＢＢＵＰは、ＵＥの移動速度に応じて、サービング基地局に通知する情報を選択してもよい。
（５）  サービング基地局は、ＢＢＵＰから通知された周波数またはシステムにおいて、受信品質の測定を開始させるためのＣｏｎｆｉｇｕｒａｔｉｏｎ  Ｍｅｓｓａｇｅを、ＵＥへ送信する。
（６）  ＵＥは、指示された周波数またはシステムにおいて信号の受信品質の測定を実行し、サービング基地局に、測定結果を含むメジャメントレポートメッセージと、ＵＥ自身の位置情報とを送信する。なお、ここでの位置情報の送信は、上述の（２）での位置情報とみなすことにより省略されてもよい。
（７）  サービング基地局は、ＵＥから受信した位置情報に基づいて、当該位置情報に対応するＢＢＵＰに測定結果を送信する。なお、ここでのＢＢＵＰは、（３）で問い合わせを行った相手方のＢＢＵＰとしてもよい。この場合、（６）においてＵＥから位置情報を受信していたとしても、その情報を無視してもよい。
（８）  ＢＢＵＰは、測定結果を受信すると、割り当て可能なリソース等から、ＨＯ条件を満たすか（ハンドオーバしてくるＵＥを受け入れられるか）を判定し、ハンドオーバに対する応答をサービング基地局に送信する。なお、ＢＢＵＰは、例えば、ＵＥをハンドオーバにより受け入れる場合はＡＣＫを、受け入れない場合はＮＡＣＫを返すことにより、サービング基地局に対して応答する。
（９）  サービング基地局は、ＵＥに対して、ハンドオーバ先の小セルの無線通信のパラメータなどシステム情報を送信し、ＵＥはハンドオーバを実行する。なお、（４）において、ハンドオーバの対象となる小セルについて、無線通信のパラメータなどのシステム情報が既にＵＥに通知されている場合は、ここでは、ハンドオーバの許可だけが通知されてもよい。この後に、ＵＥとハンドオーバの対象となる小セルとの間で接続が確立され、ＵＥは当該小セルとの間での通信を開始する。
【００２４】
以上のように、基地局は、複数の小セルの通信の制御を行うＢＢＵＰと位置とを関連付けて記憶することとなるため、従来のＮＲＴと比べて、セルの数が多くなったとしても、容易に管理することができる。また、基地局が、ハンドオーバの対象となる小セルを制御するＢＢＵＰから受信品質の測定対象パラメータの通知を受けるため、小セルに割り当てられたリソースが時間的に変動する場合でも、適切に当該小セルにおける信号を測定可能となる。
【００２５】
なお、上述の説明では、大セルに多数の小セルが包含される、又は隣接する構成について説明したが、１つの制御装置が管理する複数の小セル群からなるエリアと、他の制御装置が管理する複数の小セル群からなるエリアとの間で同様の制御が実行されてもよい。すなわち、１つのＢＢＵＰが通信を制御する領域から、他のＢＢＵＰが通信を制御する領域へとＵＥが移動する場合、それまでＵＥが在圏していた領域に対応するＢＢＵＰは、ハンドオーバの対象となる小セルの通信を制御する他のＢＢＵＰとの間で上述のハンドオーバ処理を行ってもよい。このように、本実施形態に係るハンドオーバ手法は、セルの構成態様によらず、適切なハンドオーバ処理を実行可能とすることができる。
【００２６】
なお、上述の各処理は、専用のハードウェアで実行されてもよいし、ＣＰＵ等の汎用ハードウェアにおいて実行されるソフトウェアとして実現されてもよい。また、一部をソフトウェアで実現し、残りを専用のハードウェアで実現してもよい。
【図１】
2014192738.tif 000003
【図２】
2014192738.tif 000004
【図３】
2014192738.tif 000005
【図４】
2014192738.tif 000006
【図５】
2014192738.tif 000007
【図６】
2014192738.tif 000008
【図７】
2014192738.tif 000009